(57)【要約】【課題】  外部操作でオフからオンへ移行させる有極電磁石装置の動作電圧を低くでき、有極電磁石装置の小型化が可能なリモートコントロール式回路遮断器を提供する。【解決手段】  操作ハンドル３のオン／オフ操作により開閉動作すると共に、電路の異常電流発生を受けて開動作する可動接触子６と、外部操作でプランジャ２０を進退動作させる有極電磁石装置９と、プランジャ２０の進退に連動して開閉動作するリモート接触子７とを有し、リモート接触子７はプランジャ２０に連結されて揺動する揺動部材２１を介して開閉動作し、可動接触子６とリモート接触子７との先端に設けられた接点６ａ，７ａ同士が接触／乖離動作して電路がオン／オフされる。【選択図】  図１
2009094004.tif 000002
【特許請求の範囲】
【請求項１】
操作ハンドルのオン／オフ操作により開閉動作すると共に、電路の異常電流発生を受けて開動作する可動接触子と、外部からの信号入力でプランジャを進退動作させる有極電磁石装置と、前記プランジャの進退に連動して開閉動作するリモート接触子とを有し、
前記リモート接触子は、前記プランジャの進退動作により揺動する揺動部材を介して開閉動作し、前記可動接触子と前記リモート接触子との先端に設けられた接点同士が接触／乖離動作して前記電路がオン／オフすることを特徴とするリモートコントロール式回路遮断器。
【請求項２】
揺動部材は、リモート接触子の基部を収容する凹部と、中央付近を開閉動作方向から挟持する挟持部を有すると共に、前記凹部にはリモート接触子を閉動作方向へ付勢して可動接触子との接触を安定させるための圧接部材が設けられてなる請求項１記載のリモートコントロール式回路遮断器。
【請求項３】
リモート接触子と有極電磁石装置に備えられた永久磁石とは隣接して略平行に配置されると共に、前記リモート接触子は前記永久磁石方向に開動作し、
前記リモート接触子が開動作した際に、前記永久磁石がリモート接触子の接点部を圧接部材の付勢に抗して吸引拘束する請求項２記載のリモートコントロール式回路遮断器。
【発明の詳細な説明】
【技術分野】
【０００１】
本発明は、外部からの操作によりオン／オフ双方の状態を生成でき、内蔵した有極電磁石装置によりその状態を保持するリモートコントロール式回路遮断器に関する。
【背景技術】
【０００２】
リモートコントロール式回路遮断器は、有極電磁石装置を備えて電路を開閉する接点のオン状態／オフ状態の夫々を保持するよう構成されている（例えば、特許文献１参照）。
このような回路遮断器は、有極電磁石装置への通電方向を正／逆切り替えることによって、有極電磁石装置に組み込まれているプランジャの動作方向を反転させてオン／オフさせている。そして、接点同士が接触したオン状態では別途設けられているコイルバネ等の圧接手段により可動接触子の後部等を加圧して安定した接触を維持させている。しかし、このコイルバネの付勢力がオン動作時とオフ動作時で異なるし、有極電磁石装置の永久磁石の作用により、可動接触子の付勢力がオン動作させる付勢力とオフ動作させる付勢力とが異なっている。そのため、有極電磁石装置を動作させる電圧は，オンからオフへ移行させる電圧より、オフからオンへ移行させる電圧を大きくしなければならなかった（例えば、特許文献２参照）。
【０００３】
【特許文献１】特開平６−８４４４２号公報
【特許文献２】特公平７−７６３１号公報
【発明の開示】
【発明が解決しようとする課題】
【０００４】
このように外部からの操作電圧が異なる値となっているが、実際には駆動電圧を変化させることはコスト高になるため、オフからオンさせる高電圧によりオンからオフへの操作も実施していた。そのため、電磁石装置も高電圧に合わせて設計され、大型なものとなっていた。
【０００５】
そこで、本発明はこのような問題点に鑑み、外部操作でオフからオンへ移行させる有極電磁石装置の動作電圧を低くでき、有極電磁石装置の小型化が可能なリモートコントロール式回路遮断器を提供することを目的とする。
【課題を解決するための手段】
【０００６】
上記課題を解決する為に、請求項１の発明に係るリモートコントロール式回路遮断器は、操作ハンドルのオン／オフ操作により開閉動作すると共に、電路の異常電流発生を受けて開動作する可動接触子と、外部からの信号入力でプランジャを進退動作させる有極電磁石装置と、前記プランジャの進退に連動して開閉動作するリモート接触子とを有し、前記リモート接触子は、前記プランジャの進退動作により揺動する揺動部材を介して開閉動作し、前記可動接触子と前記リモート接触子との先端に設けられた接点同士が接触／乖離動作して前記電路がオン／オフされることを特徴とする。
この構成によれば、過電流発生により開動作する接触子と、外部操作で動作する接触子とが異なるし、双方で１組の接点部を形成している。そのため、回路遮断器としての短絡遮断性能と外部操作による開閉性能を分離でき、外部から入力されるオン操作電圧をオフ操作電圧レベルと同様に低減することが可能で、有極電磁石装置の小型化が可能となる。また、外部操作が可能であっても接点は１組で済むので、リモートコントロール式回路遮断器の部材削減、小型化に有効である。
【０００７】
請求項２の発明は、請求項１に記載の発明において、揺動部材は、リモート接触子の基部を収容する凹部と、中央付近を開閉動作方向から挟持する挟持部を有すると共に、前記凹部にはリモート接触子を閉動作方向へ付勢して可動接触子との接触を安定させるための圧接部材が設けられてなることを特徴とする。
この構成によれば、リモート接触子は安定した接点圧で可動接触子と接触する。
【０００８】
請求項３の発明は、請求項２に記載の発明において、リモート接触子と有極電磁石装置に備えられた永久磁石とは隣接して略平行に配置されると共に、前記リモート接触子は前記永久磁石方向に開動作し、前記リモート接触子が開動作した際に、前記永久磁石がリモート接触子の接点部を圧接部材の付勢に抗して吸引拘束することを特徴とする。
この構成によれば、開動作した後は可動接触子の接点部が開位置で拘束される。よって、開閉方向に自由度があっても開動作した可動接触子が不安定になることがない。そして、リモート接触子の中央付近を挟持部が操作して開閉動作するので、作用点が接点部に近いことで永久磁石による拘束を僅かな力で解くことができ、スムーズな閉操作が可能である。
【発明の効果】
【０００９】
本発明によれば、過電流発生により開動作する接触子と外部操作で動作する接触子とが異なるため、回路遮断器としての短絡遮断性能と外部操作による開閉性能を分離でき、外部から入力されるオン操作電圧をオフ操作電圧レベルと同様に低減することが可能で、有極電磁石装置の小型化が可能となる。
【発明を実施するための最良の形態】
【００１０】
以下、本発明を具体化した実施の形態を、図面に基づいて詳細に説明する。図１は本発明に係るリモートコントロール式回路遮断器の一例を示す側面説明図、図２は接点部の拡大図であり、１は電源側端子、２は負荷側端子、３は電路を開閉操作する操作ハンドル、４は過電流を検出するためのバイメタル片、５は短絡電流を検出するためのトリップコイル、６は電路に異常電流が発生した際に開動作する可動接触子、７はリモート操作により開閉動作するリモート接触子、８は操作ハンドル３の操作やバイメタル片４の動作を可動接触子６に伝達する開閉機構部、９は有極電磁石装置、１０はリモート端子、１１は消弧装置、１２はケースである。尚、負荷側端子２側を前方、電源側端子１側を後方、操作ハンドル３取付部を上部として以下説明する。
【００１１】
可動接触子６は、略中央がケース１２側に固定された回動軸１５を挿通して回動可能に取り付けられ、上部に開閉機構部８との連結部１６、下部先端部に接点６ａが設けられている。また、回動軸１５と接点６ａの間にはトリップコイル５との係合部を備え、回動軸１５を中心に前後方向の垂直面内で揺動するよう構成されている。
【００１２】
有極電磁石装置９は、永久磁石１８、巻線部１９、プランジャ２０を備え、巻線部１９に正／負の直流電圧から成る信号を印加することで、プランジャ２０が進出移動或いは後退移動し、進退双方の位置で永久磁石１８により、その状態を維持するよう構成されている。そして、プランジャ２０の先端には、リモート接触子７を開閉動作させるための前後に延びた揺動部材２１の一端が連結されている。
この揺動部材２１の前方他端は、ケース１２側に設けられた回動軸２２に軸着され、プランジャ２０の上下方向の進退動作を受けて揺動するよう組み付けられている。リモート接触子７は、略中央から上端基部に至る部位がこの揺動部材２１に保持され、垂下するように配置されている。また、有極電磁石装置９とリモート接触子７は隣接して配置され、特に有極電磁石装置９の永久磁石１８とリモート接触子７とが対向するよう配置されている。
【００１３】
揺動部材２１は、リモート接触子７の基部を収容する凹部２１ａと、リモート接触子７の略中央部を前後方向から挟持する挟持部２１ｂとを備えて保持部を構成し、凹部２１ａには前後方向に伸縮し、リモート接触子７の基部を後方に付勢するコイルバネ２３が収容されている。こうして、リモート接触子７は、コイルバネ２３により接点７ａを有する下端が閉動作方向に付勢された状態で略中央から基部にかけて揺動部材２１に保持されている。
【００１４】
また、挟持部２１ｂの後方側には、１点でリモート接触子７を支持する突起２５が設けられ、図５に示すように、この突起２５を中心にリモート接触子７が揺動するよう支持している。尚、図５はリモート接触子７を強制的に揺動させた状態を示し、（ａ）はコイルバネ２３の弾性により前方に最大に傾倒した状態、（ｂ）はコイルバネ２３の弾性に抗して後方に最大に傾倒した状態を示している。
そして、開動作したリモート接触子７は、対向するように配置された有極電磁石装置９の永久磁石１８に引き付けられて拘束されるよう構成されている。
【００１５】
尚、２７は電源側端子１から延設された帯状の金属バーであり、リモート接触子７とは可撓導線２８で接続され、電路の一部を形成している。また、電源側端子１から負荷側端子２に至る電路は、電源側端子１から金属バー２７、可撓導線２８を介してリモート接触子７に至り、接点７ａ，６ａを介して可動接触子６に、更にトリップコイル５、バイメタル片４を介して負荷側端子２に至るよう構成されている。そして、電路は一対形成され、電源側端子１、負荷側端子２、可動接触子６、リモート接触子７等は左右に一対設けられているし、リモート端子１０も左右に一対設けられている。
【００１６】
このように構成されたリモートコントロール式回路遮断器の動作は以下のようである。まず、回路遮断器がオン状態にあり、流れている電路電流が異常値を示した場合の動作、即ち回路遮断器としての基本動作を簡単に説明すると、過電流に対してはバイメタル片４が作用し、バイメタル片４が熱変形して開閉機構部８を操作する。開閉機構部８は、バイメタル片４の作用で可動接触子６との連結部１６を後方に押し出す。その結果、接点６ａを備えた下部は前方に回動して可動接触子６は開動作する。
また、短絡電流に対してはトリップコイル５が作用し、トリップコイル５がプランジャ５ａを引き込み操作し、可動接触子６の下部を前方に引っ張り、同様に開動作する。
【００１７】
一方、リモート操作が成されたら次のように動作する。先ず、リモート接触子７は閉状態（オン状態）にあるものとする。この状態は図１の状態であり、操作ハンドル３の操作で電路はオン／オフできるし、上述したように過電流の発生等で遮断動作する。
このオン状態では、有極電磁石装置９はプランジャ２０を引き込んだ状態にあり、永久磁石１８の作用で、その状態が維持されている。このオン状態では、リモート接触子７の接点７ａが可動接触子６の接点６ａに接触し、且つコイルバネ２３の伸張方向の付勢力により、リモート接触子７は閉方向に付勢され、良好な接触が維持された状態にある。
【００１８】
この状態で、リモート操作によりオフ操作信号（所定の電圧）がリモート端子１０に入力されると、有極電磁石装置９は外部から印加された電圧によりプランジャ２０を上方へ進出させ、リモート接触子７を後方へ回動させる。この動作で、リモート接触子７の接点７ａは可動接触子６の接点６ａから離れると同時に、リモート接触子７の接点７ａ背部が、金属バー２７に当接する。その後、プランジャ２０は永久磁石１８の作用で進出位置が保持される。こうして回路遮断はオフとなり、その状態が維持される。
【００１９】
図３はこの状態、即ちリモート操作により開操作した状態のリモートコントロール式回路遮断器の側面説明図を示し、図４はその接点部の拡大図を示している。この図３に示すように、金属バー２７は有極電磁石装置９に密着するように配設されているため、開動作したリモート接触子７は、有極電磁石装置９の永久磁石１８に近接し、吸引されて拘束状態となる。一方で、この吸引作用でコイルバネ２３は圧縮され、リモート接触子７は閉動作方向へ付勢される。
【００２０】
このオフ状態において、リモート操作によりオン操作信号（オフ操作とは逆の所定の電圧）がリモート端子１０に入力されたら、有極電磁石装置９はプランジャ２０を引き込み動作し、リモート接触子７を永久磁石１８の拘束力に抗して前方に回動させる。その結果、接点７ａが可動接触子６の接点６ａに接触し、オン状態となる。
このオン動作は、リモート接触子７の中央付近を挟持部２１ｂが操作して閉動作するので、作用点が接点７ａに近いことで永久磁石１８による拘束を比較的小さな力で解くことができる。但し、操作レバー３がオフの位置にある場合は、リモート接触子７と可動接触子６とは接触せず、回路遮断器はオフのままとなる。
【００２１】
このように、過電流発生により開動作する接触子と、外部操作で動作する接触子とが異なるし、双方で１組の接点部を形成している。そのため、回路遮断器としての短絡遮断性能と外部操作による開閉性能を分離でき、外部から入力されるオン操作電圧をオフ操作電圧レベルと同様に低減することが可能で、有極電磁石装置の小型化が可能となる。また、外部操作が可能であっても接点は１組で済むので、リモートコントロール式回路遮断器の部材削減、小型化に有効である。
また、リモート接触子はコイルバネにより付勢されて可動接触子と接触するので、安定した接点圧で接触動作するし、コイルバネと共に可動部材に組み込んでユニット化することが可能であり、組み立てを容易にできる。
更に、開動作した後は可動接触子の接点部が開位置で拘束される。よって、開閉方向に自由度があっても開動作した可動接触子が不安定になることがない。そして、リモート接触子の中央付近を挟持部が操作して開閉動作するので、作用点が接点部に近いことで永久磁石による拘束を僅かな力で解くことができ、スムーズな閉操作が可能である。
【００２２】
尚、上記実施形態は、リモート接触子７が弾性を持たない剛性のある鋼材で形成されている場合を示したものであるが、リモート接触子自体が弾性を備えている場合は、圧接部材としてのコイルバネ２３は無くすことができる。また、リモート接触子７が開動作した時に、永久磁石１８に吸引拘束される構成としているが、リモート接触子７の揺動空間が僅かで、開動作時の可動接触子接点６ａとリモート接触子接点７ａの間の距離を十分に保つことができれば、吸引拘束させなくとも良い。
【図面の簡単な説明】
【００２３】
【図１】本発明に係るリモートコントロール式回路遮断器の一例を示し、オン状態の側面説明図である。
【図２】図１の接触子を取り出した拡大図である。
【図３】図１のオフ状態の側面説明図である。
【図４】図３の接触子を取り出した拡大図である。
【図５】リモート接触子の動作説明図であり、（ａ）は圧接手段が作用した状態、（ｂ）は有極電磁石装置が作用した状態を示している。
【符号の説明】
【００２４】
１・・電源側端子、２・・負荷側端子、６・・可動接触子、７・・リモート接触子、９・・有極電磁石装置、１８・・永久磁石、２０・・プランジャ、２１・・揺動部材、２１ｂ・・挟持部、２３・・コイルバネ（圧接部材）、２５・・突起。
【図１】
2009094004.tif 000003
【図２】
2009094004.tif 000004
【図３】
2009094004.tif 000005
【図４】
2009094004.tif 000006
【図５】
2009094004.tif 000007